【手続補正書】
【提出日】平成24年10月11日(2012.10.11)
【手続補正１】
【補正対象書類名】明細書
【補正対象項目名】００１９
【補正方法】変更
【補正の内容】
【００１９】
本明細書において用いる場合、単数を表す用語「ａ」および「ｔｈｅ」は同義であり、記載および／または文脈がそうでないことを明示している場合を除いて、「１またはそれより多く」および「少なくとも一つ」と互いに置き換えて用いられる。従って、例えば、本明細書または添付の特許請求の範囲における「粗ＨＣｌガス」との記載は、単一のガス（またはガスストリーム）または１つより多くのガス（またはガスストリーム）を意味し得る。更に、全ての数値は、他に特に明記している場合を除き、「約」の語で修飾されていると理解される。
【手続補正２】
【補正対象書類名】明細書
【補正対象項目名】００２９
【補正方法】変更
【補正の内容】
【００２９】
本発明の新規の方法の種々の特に好ましい態様は、工程ｂ）における熱伝達を第１復熱装置において行い、当該第１復熱装置において精製ＨＣｌガスを同時に過熱し、前記第１復熱装置の下流に第２復熱装置を設け、当該第２復熱装置において精製ＨＣｌガスを蒸発させると同時に粗ＨＣｌガスを液化し、その後に後凝縮器を設け、当該後凝縮器において、粗ＨＣｌガスを液化した後に残る残存ガスから、凝縮によって更にＨＣｌを除くことを特徴とする。
【手続補正３】
【補正対象書類名】明細書
【補正対象項目名】００３６
【補正方法】変更
【補正の内容】
【００３６】
好ましい形態において、工程Ｂ）における触媒の担体は、二酸化スズ、二酸化チタン、酸化アルミニウム、酸化ケイ素、アルミニウム−ケイ素混合酸化物、ゼオライト、（例えばチタン、ジルコニウム、バナジウム、アルミニウム、ケイ素等の）酸化物および混合酸化物、金属硫化物、クレイ（ｃｌａｙ）等、好ましくは二酸化スズから成る群から選択される。
【手続補正４】
【補正対象書類名】明細書
【補正対象項目名】００３９
【補正方法】変更
【補正の内容】
【００３９】
触媒塩化水素酸化は、断熱的または等温的もしくは実質上等温的に、しかし好ましくは断熱的に、回分式で又は連続的に、しかし好ましくは連続的に、移動床または固定床プロセスとして、好ましくは固定床プロセスとして、管束型反応器またはバルク材料床（ｂｕｌｋ  ｍａｔｅｒｉａｌ  ｂｅｄ）において、より好ましくはバルク材料床において、不均一触媒で１８０〜５００℃、好ましくは２００〜４００℃、より好ましくは２２０〜３５０℃の反応器温度にて、そして１〜２５ｂａｒ（１０００〜２５０００ｈＰａ）、好ましくは１．２〜２０ｂａｒ、より好ましくは１．５〜１７ｂａｒ、特に２．０〜１５ｂａｒの圧力で行うことが可能である。
【手続補正５】
【補正対象書類名】明細書
【補正対象項目名】００６８
【補正方法】変更
【補正の内容】
【００６８】
加熱した生成物ストリーム１１を、実施例１において既に説明した反応領域と同じ反応領域３５に送る：中間冷却を有する５個の断熱反応器のカスケードにおいて、ＨＣｌの一部を、不均一Ｒｕ触媒によりＣｌ２およびＨ２Ｏに転化する。同時に、ＨＣｌガス中に存在するＣＯが酸素と反応してＣＯ２を生成する反応が起こる。中間冷却は、カスケードの各々の反応器に対して、入口温度を２９０℃に保持する。ＨＣｌガスストリーム２を調節することによって、最高出口温度を３７０℃に保持する。同時に起こるＣＯ酸化の反応平衡がＣＯ２生成物側であるので、ＣＯの転化は実質上定量的である。ＣＯ酸化の反応エンタルピーが著しく大きいので、反応器において３７０℃の所望の最大出口温度を維持できるようにするために、ＨＣｌガスストリーム２を減少させなければならない。結果として、前記ＨＣｌガスストリーム２は８０ｋｇ／ｈに減少し、これは実施例１で記載した値の８０％に相当する。これが、本方法のＨＣｌ酸化能力を相応に著しく減少させ、そのことが重大な経済的不都合をもたらす。
【手続補正６】
【補正対象書類名】明細書
【補正対象項目名】００７６
【補正方法】変更
【補正の内容】
【００７６】
当業者は、本明細書の広範な発明概念から逸脱することなく、上述の態様を変更し得ることを理解するであろう。従って、本発明は開示された特定の態様に限定されるものでなく、添付の特許請求の範囲によって規定された本発明の精神および範囲内における変更に及ぶことを意図していることが理解される。
本願発明は以下の態様を含む。
（態様１）
（ａ）塩化水素および一酸化炭素を含有する粗ＨＣｌガスを準備すること；
（ｂ）粗ＨＣｌガスを圧縮して圧縮粗ＨＣｌガスを形成すること；
（ｃ）圧縮粗ＨＣｌガスを冷却して、液化塩化水素と一酸化炭素含有ガスとを形成すること；
（ｄ）液化塩化水素と一酸化炭素含有ガスとを分離すること；
（ｅ）液化塩化水素を蒸発させて精製ＨＣｌガスを形成すること；ならびに
（ｆ）精製ＨＣｌガスをＨＣｌ酸化プロセスに供給すること
を含む、方法。
（態様２）
液化塩化水素の蒸発が、液化塩化水素の過熱を更に含む、態様１に記載の方法。
（態様３）
圧縮粗ＨＣｌガスの冷却を２またはそれより多くの段階で行う、態様１に記載の方法。
（態様４）
液化塩化水素を蒸発させるのに必要なエネルギーの少なくとも一部が、圧縮粗ＨＣｌガスの冷却からの熱を含む、態様１に記載の方法。
（態様５）
粗ＨＣｌガスの圧縮を、３０ｂａｒまでの圧力で行う、態様１に記載の方法。
（態様６）
圧縮粗ＨＣｌガスの冷却を、−８０℃に等しい又はそれより高い温度で行う、態様１に記載の方法。
（態様７）
圧縮粗ＨＣｌガスの冷却を、−８０℃に等しい又はそれより高い温度で行う、態様５に記載の方法。
（態様８）
液化塩化水素の蒸発を、−１０℃に等しい又はそれより高い温度で行う、態様１に記載の方法。
（態様９）
液化塩化水素の蒸発を、−１０℃に等しい又はそれより高い温度で行う、態様７に記載の方法。
（態様１０）
粗ＨＣｌガスが、窒素、希ガス、およびそれらの混合物から成る群から選択される不活性ガスを更に含み、圧縮粗ＨＣｌガスの冷却の後で、不活性ガスが、一酸化炭素含有ガス中に存在する、態様１に記載の方法。
（態様１１）
圧縮粗ＨＣｌガスの冷却が、液化塩化水素が形成される前に、オルト−ジクロロベンゼン、モノクロロベンゼン、またはそれらの混合物を含む凝縮可能な有機化合物の除去を含む、態様２に記載の方法。
（態様１２）
前記圧縮粗ＨＣｌガスの冷却からの熱の、前記液化塩化水素の蒸発への移動が、復熱装置を含む、態様４に記載の方法。
（態様１３）
液化塩化水素の蒸発が、液化塩化水素の過熱を更に含む、態様４に記載の方法。
（態様１４）
圧縮粗ＨＣｌガスの冷却からの熱を、第１復熱装置で少なくとも部分的に移動させ、第１復熱装置において精製ＨＣｌガスを過熱し、また、下流において第２復熱装置で更に移動させ、第２復熱装置において精製ＨＣｌガスの蒸発と共に粗ＨＣｌガスを液化する、態様１３に記載の方法であって、後凝縮器を更に含み、後凝縮器において一酸化炭素含有ガスを処理して、凝縮によって残存ＨＣｌを除去する、方法。
（態様１５）
（ａ）塩化水素および一酸化炭素を含有する粗ＨＣｌガスを供給すること；
（ｂ）粗ＨＣｌガスを圧縮して圧縮粗ＨＣｌガスを形成すること；
（ｃ）圧縮粗ＨＣｌガスを冷却して、液化塩化水素と一酸化炭素含有ガスとを形成すること；
（ｄ）液化塩化水素と一酸化炭素含有ガスとを分離すること；
（ｅ）液化塩化水素を蒸発させて精製ＨＣｌガスを形成すること；ならびに
（ｆ）精製ＨＣｌガスを酸素で触媒酸化して塩素を形成すること
を含む、方法。
（態様１６）
塩化水素が、粗ＨＣｌガス中に２０〜９９．５体積％の量で存在する、態様１５に記載の方法。
（態様１７）
一酸化炭素が、粗ＨＣｌガス中に０．１〜１５体積％の量で存在する、態様１５に記載の方法。
（態様１８）
一酸化炭素が、精製ＨＣｌガス中に１体積％に等しい又はそれより少ない量で存在する、態様１５に記載の方法。
（態様１９）
一酸化炭素が、精製ＨＣｌガス中に０．１体積％より少ない量で存在する、態様１７に記載の方法。
（態様２０）
精製ＨＣｌガスの触媒酸化を、場合により担持された触媒の存在下で行う方法であって、触媒が、ルテニウム、金、パラジウム、白金、オスミウム、イリジウム、銀、銅、カリウム、レニウム、およびクロムから成る群から選択される１またはそれより多くを含有する触媒的に活性な材料を含み、オプションとしての担体材料が、二酸化スズ、二酸化チタン、酸化アルミニウム、酸化ケイ素、アルミニウム−ケイ素混合酸化物、ゼオライト、混合酸化物、金属硫酸塩、およびクレイから成る群から選択される１またはそれより多くを含む、態様１５に記載の方法。
【手続補正７】
【補正対象書類名】特許請求の範囲
【補正対象項目名】全文
【補正方法】変更
【補正の内容】
【特許請求の範囲】
【請求項１】
（ａ）塩化水素および一酸化炭素を含有する粗ＨＣｌガスを準備すること；
（ｂ）粗ＨＣｌガスを圧縮して圧縮粗ＨＣｌガスを形成すること；
（ｃ）圧縮粗ＨＣｌガスを冷却して、液化塩化水素と一酸化炭素含有ガスとを形成すること；
（ｄ）液化塩化水素と一酸化炭素含有ガスとを分離すること；
（ｅ）液化塩化水素を蒸発させて精製ＨＣｌガスを形成すること；ならびに
（ｆ）精製ＨＣｌガスをＨＣｌ酸化プロセスに供給すること
を含む、方法。
【請求項２】
液化塩化水素の蒸発が、液化塩化水素の過熱を更に含む、請求項１に記載の方法。
【請求項３】
液化塩化水素を蒸発させるのに必要なエネルギーの少なくとも一部が、圧縮粗ＨＣｌガスの冷却からの熱を含み、前記圧縮粗ＨＣｌガスの冷却からの熱の、前記液化塩化水素の蒸発への移動が、復熱装置を含む、請求項１に記載の方法。
【請求項４】
（ａ）塩化水素および一酸化炭素を含有する粗ＨＣｌガスを供給すること；
（ｂ）粗ＨＣｌガスを圧縮して圧縮粗ＨＣｌガスを形成すること；
（ｃ）圧縮粗ＨＣｌガスを冷却して、液化塩化水素と一酸化炭素含有ガスとを形成すること；
（ｄ）液化塩化水素と一酸化炭素含有ガスとを分離すること；
（ｅ）液化塩化水素を蒸発させて精製ＨＣｌガスを形成すること；ならびに
（ｆ）精製ＨＣｌガスを酸素で触媒酸化して塩素を形成すること
を含む方法であって、一酸化炭素が、精製ＨＣｌガス中に１体積％に等しい又はそれより少ない量で存在する、方法。